(57)【要約】【課題】水位が上昇するおそれのある地域に設置した場合、浸水等せず、再使用が容易な仮設ブースを提供する。【解決手段】地面に立設される１本の支柱１と、この支柱１に沿って上下動可能なブース本体２と、ブース本体２と一体に設けられ、ブース本体２を水に対する浮力によって浮上させる浮力体３とを備えている。【選択図】図５
2005083139.tif 000002
【特許請求の範囲】
【請求項１】
地面に立設される１本の支柱と、該支柱に沿って上下動可能なブース本体と、該ブース本体と一体に設けられ、該ブース本体を水に対する浮力によって浮上させる浮力体とを備えていることを特徴とする仮設ブース。
【請求項２】
前記支柱は円柱形状又は円筒形状であり、前記ブース本体は該支柱周りを回動可能であることを特徴とする請求項１記載の仮設ブース。
【請求項３】
前記ブース本体は前記支柱側が波避け可能な形状に形成されていることを特徴とする請求項２記載の仮設ブース。
【請求項４】
仮設トイレであることを特徴とする請求項１乃至３のいずれか１項記載の仮設ブース。
【発明の詳細な説明】
【技術分野】
【０００１】
本発明は仮設ブースに関する。
【背景技術】
【０００２】
従来、特許文献１、２に底面にキャスタが設けられた仮設トイレが開示されている。また、特許文献３には、底面に車輪等の可搬手段が設けられた合併処理浄化槽付き仮設ハウスが開示されている。
【０００３】
これらの仮設トイレ又は仮設ハウスは、水平方向に容易に移動可能であることから、トイレやハウスの機能と機動性とを実現することができる。
【０００４】
【特許文献１】特開２００１−３１７１０６号公報
【特許文献２】特開２００１−１９８０４８号公報
【特許文献３】特開２００３−６４８９４号公報
【発明の開示】
【発明が解決しようとする課題】
【０００５】
しかし、上記従来の仮設トイレや仮設ハウス等の仮設ブースは、水平方向に移動可能であるだけである。このため、その仮設ブースを海抜の低い地域や河川敷等、洪水等で水位が上昇するおそれのある地域に設置した場合、それらは、浸水、水没してしまい、その状態では使用ができなくなってしまう。また、その仮設ブースは、一旦浸水等してしまうことにより内部が汚染され、水が引いた後の再使用が困難になってしまう。特に、その仮設ブースが仮設トイレや上記のように浄化槽を備えた仮設ハウスである場合には、貯留されている便が内部や周囲に散らばり易く、浄化槽設備の浸水によっても再使用が困難になるばかりでなく、周囲の環境も汚染してしまうおそれがある。
【０００６】
そのような不具合を防止するため、仮設ブース自体が浮上するように構成することも考えられるが、単に浮上するだけの仮設ブースでは、水の流れによって水平方向にも移動してしまい、極端な場合には行き先がわからなくなって再使用が全く不可能になってしまう。
【０００７】
本発明は、上記従来の実情に鑑みてなされたものであって、水位が上昇するおそれのある地域に設置した場合、浸水等せず、再使用が容易な仮設ブースを提供することを解決すべき課題としている。
【課題を解決するための手段】
【０００８】
本発明の仮設ブースは、地面に立設される１本の支柱と、該支柱に沿って上下動可能なブース本体と、該ブース本体と一体に設けられ、該ブース本体を水に対する浮力によって浮上させる浮力体とを備えていることを特徴とする。
【０００９】
この仮設ブースを海抜の低い地域や河川敷等、洪水等で水位が上昇するおそれのある地域に設置した場合、仮に水位が上がったとしても、その水に対して浮力を有する浮力体によってブース本体が浮上する。この際、そのブース本体は、地面に立設された１本の支柱に沿って上昇する。このため、ブース本体が浸水、水没することがない。また、ブース本体は、支柱によって水平方向の移動が阻止されるため、水流の方向が大きく変わるような極端な場合でも行き先がわからなくなることはない。そして、こうして浮上した状態であっても、そのブース本体の使用が可能である。
【００１０】
また、水位が下がった場合、ブース本体も支柱に沿って下降し、水が元のように引けば、地面に載置されることとなる。この際、ブース本体は、浸水等していないことにより内部が汚染されておらず、水が引いた後の再使用は元のように可能である。また、ブース本体の水平方向の移動は阻止されているため、そのブース本体は同一の位置で再使用されることとなる。
【００１１】
したがって、本発明の仮設ブースは、水位が上昇するおそれのある地域に設置した場合、浸水等せず、再使用が容易である。
【００１２】
また、河川敷には、洪水に備えて避難用のボートが設けられ得るが、そのボートは水に流されてしまいやすく、その場合には避難も不可能になってしまう。この点、本発明の仮設ブースは、支柱に沿って浮上することから、緊急用の避難場所としても活用され得る。
【００１３】
さらに、本発明の仮設ブースは、支柱が１本であることから、複数本の支柱を採用する場合と比較して、安価であるとともに、施工も容易である。
【００１４】
支柱は円柱形状又は円筒形状であり、ブース本体はその支柱周りを回動可能であることが好ましい。こうであれば、水に流れがあっても、ブース本体は、自ら抵抗が少ないように回動し、流れによって破壊され難い。ブース本体に電力を供給する場合、支柱を介してその電力を送ることも可能である。
【００１５】
ブース本体は支柱側が波避け可能な形状に形成されていることが好ましい。これにより、水の流れによってブース本体がより一層破壊され難くなる。例えば、ブース本体は、上流側が幅の狭い水平断面で流線型であり、上流側が滑らかに底面に繋がっているボート形状であったり、水平断面で円形状又は楕円形状等であったりし得る。
【００１６】
本発明の仮設ブースは仮設トイレである場合に特に効果が大きい。この場合、便が貯留されているとしても、その便は内部や周囲に散らばることがなく、再使用は元のように可能であり、周囲の環境を汚染することもない。
【発明を実施するための最良の形態】
【００１７】
以下、本発明を具体化した実施例１、２を図面を参照しつつ説明する。
【実施例１】
【００１８】
実施例１の仮設ブースは仮設トイレである。この仮設トイレは、図１〜６に示すように、地面に立設される１本の支柱１と、この支柱１に沿って上下動可能なブース本体２と、図５に示すように、ブース本体２と一体に設けられ、ブース本体２を水に対する浮力によって浮上させる浮力体３とを備えている。
【００１９】
支柱１は、図１〜６に示すように、円柱形状である。
【００２０】
ブース本体２は、図１及び図４〜６に示すように、上流側が幅の狭い水平断面で流線型であり、上流側が滑らかに底面に繋がっているボート形状をなしている。ブース本体２の下部には下流側に突出する階段２ａが形成されている。ブース本体２の上流側には、図１及び図２に示すように、支柱１が挿通される四角柱状の空間２０が垂直に形成されている。この空間２０の上部及び下部において、空間２０を形成する四つの側面には、図２に示すように、各々対をなすブラケット２０ａ、２０ｂが対面方向に突出されており、各々両ブラケット２０ａ、２０ｂによって水平方向に延びるピン２０ｃが軸支され、各ピン２０ｃにはローラ２０ｄが回転可能に支承されている。四つのローラ２０ｄは支柱１によって転動するようになっている。
【００２１】
また、ブース本体２の下流側には、図１、図４及び図５に示すように、トイレ室２１と、図５に示すように、このトイレ室２１の下方に位置する下部室２２とが形成されている。図１、図４及び図５に示すように、トイレ室２１の床面には便器２１ａが設けられており、トイレ室２１はドア２１ｂによって出入りが可能になっている。図５に示すように、下部室２２内には、便器２１ａと接続されて便を貯留するタンク（又は浄化槽設備）２２ａと、このタンク２２ａ周りに充填された発泡スチロール等の浮力体３とが収納されている。下部室２２は階段２ａ内に位置して大容積を占めているため、水に対する浮力によりブース本体２を浮上させるべく大量の浮力体３がこの下部室２２に収納されている。
【００２２】
以上のように構成された仮設トイレは、支柱１が河川敷に立設されることにより、その河川敷に設置される。この場合、洪水等によって仮に水位が上がったとしても、その水に対して浮力を有する浮力体３によってブース本体２が浮上する。この際、そのブース本体２は、１本の支柱１に沿って上下四つのローラ２０ｄが転動することにより、上昇する。このため、ブース本体２が浸水、水没することがない。また、ブース本体２は、支柱１によって水平方向の移動が阻止されるため、極端な場合でも行き先がわからなくなることはない。特に、この仮設トイレでは、支柱１が円柱形状であり、ブース本体２は、水の流れによって上下四つのローラ２０ｄが支柱１の周方向に滑ることにより回動する。こうしてこのブース本体２は、自ら抵抗が少ないように回動し、流れによって破壊され難い。その際、ボート形状に形成されたブース本体２は特に破壊され難い。そして、こうして浮上した状態であっても、そのブース本体２の使用が可能である。
【００２３】
また、水位が下がった場合、ブース本体２も支柱１に沿って下降し、水が元のように引けば、再び地面に載置されることとなる。この際、ブース本体２は、浸水等していないことによりトイレ室２１及び下部室２２が汚染されておらず、水が引いた後の再使用は元のように可能である。また、ブース本体２の水平方向の移動は阻止されているため、そのブース本体２は同一の位置で再使用されることとなる。
【００２４】
したがって、この仮設トイレは、河川敷において、浸水等することはなく、再使用が容易である。特に、この仮設トイレでは、便がタンク２２ａに貯留されているのであるが、その便は内部や周囲に散らばることがなく、再使用は元のように可能であり、周囲の環境を汚染することもない。
【００２５】
また、この仮設トイレは、支柱１に沿って浮上することから、緊急用の避難場所としても活用され得る。さらに、この仮設トイレは、支柱１が１本であることから、複数本の支柱を採用する場合と比較して、安価であるとともに、施工も容易である。
【実施例２】
【００２６】
実施例２の仮設ブースも仮設トイレである。この仮設トイレは、図７に示すように、ブース本体４が四角柱状をなしている。他の構成は実施例１の仮設トイレと同様である。
【００２７】
この仮設トイレは、水の流れによって回動し難い点があり、かつ水の流れに対して強度をより高める必要はあるものの、実施例１のものと同様に他の作用効果を奏することができる。
【産業上の利用可能性】
【００２８】
本発明の仮設ブースは河川敷等に立設される仮設トイレ等に利用可能である。
【図面の簡単な説明】
【００２９】
【図１】実施例１の仮設トイレの水平断面図である。
【図２】実施例１の仮設トイレの一部拡大水平断面図である。
【図３】実施例１の仮設トイレの正面図である。
【図４】実施例１の仮設トイレの側面図である。
【図５】実施例１の仮設トイレの一部破談側面図である。
【図６】実施例１の仮設トイレの斜視図である。
【図７】実施例２の仮設トイレの斜視図である。
【符号の説明】
【００３０】
１…支柱
２…ブース本体
３…浮力体
【図１】
2005083139.tif 000003
【図２】
2005083139.tif 000004
【図３】
2005083139.tif 000005
【図４】
2005083139.tif 000006
【図５】
2005083139.tif 000007
【図６】
2005083139.tif 000008
【図７】
2005083139.tif 000009